(57)【要約】【課題】コネクタハウジングとこれに挿入する接続端子との挿入方向に直交する面内におけるガタ付きの有無に関わらず、プリント基板に対する必要な接圧を確保すること。【解決手段】プリント基板４０と電気的に接続される接続端子２１を収容する端子側コネクタハウジング１１に、プリント基板４０が装着された基板側コネクタハウジング４１を嵌合して接続端子２１とプリント基板４０とを電気的に接続するプリント基板用コネクタ１、１００であって、接続端子２１は、片持ち支持された弾性接触片２４と、プリント基板４０に対して弾接状態で当接可能な当接部２６とを有する。端子側コネクタハウジング１１と基板側コネクタハウジング４１とは、両者が嵌合した状態で互いに係合して当接部２６がプリント基板４０に弾接状態で当接するように接続端子２１をプリント基板４０に対して位置決めする第１及び第２嵌合係合部１４、４２をそれぞれ有する。【選択図】図９
2013026147.tif 000002
【特許請求の範囲】
【請求項１】
プリント基板と電気的に接続される接続端子と、この接続端子を収容する端子側コネクタハウジングと、前記プリント基板が装着された基板側コネクタハウジングとを備え、前記端子側コネクタハウジングに前記基板側コネクタハウジングを嵌合して前記接続端子と前記プリント基板とを電気的に接続するプリント基板用コネクタであって、
前記接続端子は、前記端子側コネクタハウジングへの挿入方向に沿って延在する一面の前記挿入方向における一方の端部が片持ち支持された弾性接触片と、
前記弾性接触片の前記挿入方向における他方の端部に設けられ前記プリント基板に対して弾接状態で当接可能な当接部とを有し、
前記端子側コネクタハウジングと前記基板側コネクタハウジングとは、両者が嵌合した状態で互いに係合して前記当接部が前記プリント基板に弾接状態で当接するように前記接続端子を前記プリント基板に対して位置決めする嵌合係合部をそれぞれ有する
ことを特徴とするプリント基板用コネクタ。
【請求項２】
請求項１に記載のプリント基板用コネクタにおいて、
前記基板側コネクタハウジングが前記端子側コネクタハウジングに嵌合することにより、前記基板側コネクタハウジングから押圧されて、前記端子側コネクタハウジングと仮係合状態となる位置から本係合状態となる位置へ移動するフロントホルダを更に有し、
前記端子側コネクタハウジングと前記フロントホルダとは、両者が仮係合状態となる位置で互いに係合する仮係合用係合部をそれぞれ有し、
前記基板側コネクタハウジングから押圧された前記フロントホルダが前記端子側コネクタハウジングに対して仮係合状態に位置することで、前記当接部が前記プリント基板に接触するように前記基板側コネクタハウジングが前記プリント基板に対して位置決めされる
ことを特徴とするプリント基板用コネクタ。
【請求項３】
請求項２に記載のプリント基板用コネクタにおいて、
前記基板側コネクタハウジングと前記フロントホルダとのうちいずれか一方は、前記基板側コネクタハウジングが前記端子側コネクタハウジングに嵌合すると前記基板側コネクタハウジングと前記フロントホルダとのうちいずれか他方に当接して、前記フロントホルダを前記端子側コネクタハウジングに対して仮係合状態となる位置から本係合状態となる位置へ相対的に移動させるフロントホルダ移動部を更に有する
ことを特徴とするプリント基板用コネクタ。
【請求項４】
請求項２又は請求項３に記載のプリント基板用コネクタにおいて、
前記フロントホルダは、前記仮係合状態となる位置から前記本係合状態となる位置への移動により前記弾性接触片を押圧し、前記プリント基板に弾接状態で当接した当接部を前記プリント基板に対して摺動させる押圧部を有している
ことを特徴とするプリント基板用コネクタ。
【発明の詳細な説明】
【技術分野】
【０００１】
本発明は、コネクタハウジングに収容した接続端子とプリント基板とを電気的に接続する基板用コネクタに関する。
【背景技術】
【０００２】
従来から、コネクタハウジングに収容した端子とプリント基板とを電気的に接続するコネクタとして、例えば、実開平５−６２９７２号公報（特許文献１）に記載されたコネクタが提案されている。
【０００３】
このコネクタは、プリント基板と電気的に接続する電線が圧着接続された端子と、この端子を内部に挿入することにより、端子とプリント基板とを電気的に接続するコネクタハウジングとから略構成されている。
【０００４】
端子は、一端側が片持ち支持されたばね片と、このばね片を内部に収容する囲み壁とを有している。ばね片の他端側には、ばね片の延在方向と交わる方向からコネクタハウジングと当接可能な摺接部が形成されている。
【０００５】
また、ばね片の一端側と他端側の中間部には、屈曲してプリント基板と接触可能な接触部が形成されている。囲み壁は、このばね片を内部に収容した状態で接触部が突出可能な開口を有している。
【０００６】
コネクタハウジングは、ばね片の摺接部と当接可能なテーパガイド面を有している。このテーパガイド面は、コネクタハウジングの底面に対して傾斜しており、端子をコネクタハウジング内に挿入することによりばね片の摺接部を囲み壁の内側に押し上げる。
【０００７】
そして、端子をコネクタハウジング内に挿入すると、コネクタハウジングのテーパガイド面がばね片の摺接部を押し上げることにより、ばね片の接触部が囲み壁の開口から外部へ突出し、突出した接触部がプリント基板に接触して電気的接続を得ている。
【先行技術文献】
【特許文献】
【０００８】
【特許文献１】実開平５−６２９７２号公報
【発明の概要】
【発明が解決しようとする課題】
【０００９】
ところで、上述したコネクタでは、コネクタハウジングのテーパガイド面が、ばね片の摺接部を押し上げることによりばね片の接触部がプリント基板に接触する。このような構造のコネクタでは、テーパガイド面による摺接部の押し上げ量が、接触部のプリント基板に対する接触圧に大きく影響する。したがって、コネクタハウジングに対する端子の挿入方向と直交する面内で、端子とコネクタハウジングとの間にガタ付きが存在しないようにすることが重要となる。
【００１０】
そこで、本発明は、コネクタハウジングとこれに挿入する接続端子との挿入方向に直交する面内におけるガタ付きの有無に関わらず、プリント基板に対する必要な接圧を確保することができるプリント基板用コネクタを提供することを目的とする。
【課題を解決するための手段】
【００１１】
上記目的を達成するため、本願請求項１に記載した本発明のプリント基板用コネクタは、プリント基板と電気的に接続される接続端子と、この接続端子を収容する端子側コネクタハウジングと、前記プリント基板が装着された基板側コネクタハウジングとを備え、前記端子側コネクタハウジングに前記基板側コネクタハウジングを嵌合して前記接続端子と前記プリント基板とを電気的に接続するプリント基板用コネクタであって、前記接続端子は、前記端子側コネクタハウジングへの挿入方向に沿って延在する一面の前記挿入方向における一方の端部が片持ち支持された弾性接触片と、前記弾性接触片の前記挿入方向における他方の端部に設けられ前記プリント基板に対して弾接状態で当接可能な当接部とを有し、前記端子側コネクタハウジングと前記基板側コネクタハウジングとは、両者が嵌合した状態で互いに係合して前記当接部が前記プリント基板に弾接状態で当接するように前記接続端子を前記プリント基板に対して位置決めする嵌合係合部をそれぞれ有することを特徴とする。
【００１２】
請求項２に記載した本発明のプリント基板用コネクタは、請求項１に記載のプリント基板用コネクタにおいて、前記基板側コネクタハウジングが前記端子側コネクタハウジングに嵌合することにより、前記基板側コネクタハウジングから押圧されて、前記端子側コネクタハウジングと仮係合状態となる位置から本係合状態となる位置へ移動するフロントホルダを更に有し、前記端子側コネクタハウジングと前記フロントホルダとは、両者が仮係合状態となる位置で互いに係合する仮係合用係合部をそれぞれ有し、前記基板側コネクタハウジングから押圧された前記フロントホルダが前記端子側コネクタハウジングに対して仮係合状態に位置することで、前記当接部が前記プリント基板に接触するように前記基板側コネクタハウジングが前記プリント基板に対して位置決めされることを特徴とする。
【００１３】
請求項３に記載した本発明のプリント基板用コネクタは、請求項２に記載のプリント基板用コネクタにおいて、前記基板側コネクタハウジングと前記フロントホルダとのうちいずれか一方は、前記基板側コネクタハウジングが前記端子側コネクタハウジングに嵌合すると前記基板側コネクタハウジングと前記フロントホルダとのうちいずれか他方に当接して、前記フロントホルダを前記端子側コネクタハウジングに対して仮係合状態となる位置から本係合状態となる位置へ相対的に移動させるフロントホルダ移動部を更に有することを特徴とする。
【００１４】
請求項４に記載した本発明のプリント基板用コネクタは、請求項２又は請求項３に記載のプリント基板用コネクタにおいて、前記フロントホルダは、前記仮係合状態となる位置から前記本係合状態となる位置への移動により前記弾性接触片を押圧し、前記プリント基板に弾接状態で当接した当接部を前記プリント基板に対して摺動させる押圧部を有していることを特徴とする。
【００１５】
なお、変形例として、請求項４に記載のプリント基板用コネクタにおいて、前記端子側コネクタハウジングは、該端子側コネクタハウジングに対する挿入中の前記接続端子と係合して、前記端子側コネクタハウジングに対する前記フロントホルダの前記仮係合状態となる位置から前記本係合状態となる位置への移動を阻止すると共に、前記端子側コネクタハウジングに対する挿入完了により前記接続端子との係合が解除されて、前記端子側コネクタハウジングに対する前記フロントホルダの前記仮係合状態となる位置から前記本係合状態となる位置への移動を許容する接続端子係合部を更に有することを特徴とするプリント基板用コネクタを構成してもよい。
【００１６】
請求項１に記載した本発明のプリント基板用コネクタによれば、端子側コネクタハウジングを基板側コネクタハウジングに嵌合させると、両者の嵌合係合部どうしが互いに係合して当接部がプリント基板に対して弾接状態で当接する。このため、基板側コネクタハウジングに端子側コネクタハウジングを嵌合させることにより、当接部をプリント基板に対して所定の接触圧で弾接させることができる。
【００１７】
また、基板側コネクタハウジングに端子側コネクタハウジングを近づけて嵌合し、両者の嵌合係合部を互いに係合させれば、当接部がプリント基板に対して弾接状態で当接するように接続端子が端子側コネクタハウジングにより位置決めされる。このため、端子側コネクタハウジングと接続端子との挿入方向に直交する面内におけるガタ付きの有無に関わらず、プリント基板に対する当接部の必要な接圧を確保することができる。
【００１８】
請求項２に記載した本発明のプリント基板用コネクタによれば、フロントホルダは、端子側コネクタハウジングを基板側コネクタハウジングに嵌合する過程で基板側コネクタハウジングから押圧されて、端子側コネクタハウジングに対して仮係合状態に位置し、当接部がプリント基板に対して当接可能に基板側コネクタハウジングに対して位置決めされる。このため、フロントホルダを仮係合状態に保持して、確実にプリント基板に当接部を当接させた後に、端子側コネクタハウジングを基板側コネクタハウジングにさらに嵌合して当接部をプリント基板に対して弾接状態で当接させることができる。
【００１９】
請求項３に記載した本発明のプリント基板用コネクタによれば、基板側コネクタハウジングとフロントホルダとのうちいずれか一方のフロントホルダ移動部が、端子側コネクタハウジングを基板側コネクタハウジングに嵌合する際に、基板側コネクタハウジングとフロントホルダとのうちいずれか他方に当接する。このため、基板側コネクタハウジングとフロントホルダとの隙間（遊び）をなくすことができ、端子側コネクタハウジングの基板側コネクタハウジングに対する嵌合に連動して、容易にフロントホルダを本係合状態となる位置へ移動させることができる。
【００２０】
請求項４に記載した本発明のプリント基板用コネクタによれば、フロントホルダの押圧部は、フロントホルダが端子側コネクタハウジングに対して仮嵌合状態となる位置から本嵌合状態となる位置に移動することで弾性接触片を押圧し、プリント基板に弾接状態で当接した当接部をプリント基板に対して摺動させる。このため、端子側コネクタハウジングを基板側コネクタハウジングに嵌合することにより、当接部を弾接状態のままプリント基板に対して摺動させて、当接部に付着した酸化皮膜を除去させ、当接部の接触抵抗を低下させることができ、プリント基板との電気的接触性を向上することができる。
【００２１】
また、変形例のプリント基板用コネクタによれば、端子側コネクタハウジングの接続端子係合部は、内部に接続端子が収容されるまでの挿入中には、接続端子と係合してフロントホルダの仮係合状態となる位置から本係合状態となる位置への移動を阻止し、内部に接続端子が収容されて挿入が完了すると、接続端子との係合が解除されてフロントホルダの仮係合状態となる位置から本係合状態となる位置への移動を許容する。このため、接続端子が端子収容部に収容されて、端子側コネクタハウジングの基板側コネクタハウジングに対する嵌合の開始により当接部がプリント基板に接触する前に、フロントホルダが端子側コネクタハウジングに対して仮係合状態となる位置から本係合状態となる位置に移動して、フロントホルダの押圧部が弾性接触片を押圧し、当接部がプリント基板上で摺動できなくなるのを防止することができる。
【発明の効果】
【００２２】
本発明によれば、コネクタハウジングとこれに挿入する接続端子との挿入方向に直交する面内におけるガタ付きの有無に関わらず、プリント基板に対する必要な接圧を確保することができるプリント基板用コネクタを提供することができる。
【図面の簡単な説明】
【００２３】
【図１】（ａ）は本発明の第１実施形態に係るプリント基板用コネクタを構成する端子側コネクタハウジングを示す斜視図、（ｂ）は本発明の第１実施形態に係るプリント基板用コネクタを構成する接続端子を示す斜視図、（ｃ）は本発明の第１実施形態に係るプリント基板用コネクタを構成するフロントホルダを示す斜視図である。
【図２】本発明の第１実施形態に係るプリント基板用コネクタを構成する基板側コネクタハウジングを示す斜視図である。
【図３】（ａ）本発明の第１実施形態に係るプリント基板用コネクタを構成する端子側コネクタハウジングの平面図、（ｂ）は（ａ）のＡ−Ａ断面図である。
【図４】本発明の第１実施形態に係るプリント基板用コネクタを構成する接続端子の外部及び内部を示す斜視図である。
【図５】本発明の第１実施形態に係るプリント基板用コネクタを構成するフロントホルダの内部を示す斜視図である。
【図６】本発明の第１実施形態に係るプリント基板用コネクタを構成する基板側コネクタハウジングの内部を示す斜視図である。
【図７】本発明の第１実施形態に係るプリント基板用コネクタを構成する端子側コネクタハウジングに接続端子を挿入した状態を示す断面図である。
【図８】本発明の第１実施形態に係るプリント基板用コネクタを構成する接続端子の端子側コネクタハウジングの接続端子係合部と接続端子のコネクタハウジング係合部の係合状態を示す断面図である。
【図９】本発明の第１実施形態に係るプリント基板用コネクタを構成する端子側コネクタハウジングにフロントホルダを挿入した状態を示す断面図である。
【図１０】本発明の第１実施形態に係るプリント基板用コネクタを構成する基板側コネクタハウジングがフロントホルダを押圧する状態を示す断面図である。
【図１１】本発明の第１実施形態に係るプリント基板用コネクタを構成する端子側コネクタとフロントホルダの仮係合状態を示す断面図である。
【図１２】本発明の第１実施形態に係るプリント基板用コネクタを構成する端子側コネクタハウジングの第１仮係合用係合部とフロントホルダの第２仮係合用係合部との係合状態を示す断面図である。
【図１３】本発明の第１実施形態に係るプリント基板用コネクタの嵌合状態を示す断面図である。
【図１４】（ａ）は本発明の第１実施形態に係るプリント基板用コネクタを構成する接続端子のスリットにフロントホルダの押圧部が位置した状態を示す断面図、（ｂ）は本発明の第１実施形態に係るプリント基板用コネクタを構成する接続端子の当接部がプリント基板と当接した状態を示す断面図、（ｃ）は本発明の第１実施形態に係るプリント基板用コネクタを構成する接続端子の当接部がプリント基板に対して摺動した状態を示す断面図である。
【図１５】（ａ）は本発明の第２実施形態に係るプリント基板用コネクタを構成するフロントホルダを示す斜視図、（ｂ）は本発明の第２実施形態に係るプリント基板用コネクタを構成する基板側コネクタハウジングを示す斜視図である。
【図１６】本発明の第２実施形態に係るプリント基板用コネクタを構成する端子側コネクタハウジングにフロントホルダを挿入した状態を示す断面図である。
【図１７】本発明の第２実施形態に係るプリント基板用コネクタを構成する基板側コネクタハウジングがフロントホルダを押圧する状態を示す断面図である。
【図１８】本発明の第２実施形態に係るプリント基板用コネクタを構成する端子側コネクタとフロントホルダの仮係合状態を示す断面図である。
【図１９】本発明の第２実施形態に係るプリント基板用コネクタの嵌合状態を示す断面図である。
【発明を実施するための形態】
【００２４】
以下、本発明の実施形態に係るプリント基板用コネクタについて図面を参照して説明する。はじめに、図１又は図２を参照して、本発明の第１実施形態に係る基板用コネクタの構成について説明する。
【００２５】
図１（ａ）は、本発明の第１実施形態に係るプリント基板用コネクタを構成する端子側コネクタハウジングを示す斜視図、図１（ｂ）は、本発明の第１実施形態に係るプリント基板用コネクタを構成する接続端子を示す斜視図、図１（ｃ）は、本発明の第１実施形態に係るプリント基板用コネクタを構成するフロントホルダを示す斜視図である。図２は、本発明の第１実施形態に係るプリント基板用コネクタを構成する基板側コネクタハウジングを示す斜視図である。
【００２６】
本発明の実施形態に係るプリント基板用コネクタは、プリント基板と電気的に接続される接続端子を収容する端子側コネクタハウジングにプリント基板が装着された基板側コネクタハウジングを嵌合して接続端子とプリント基板とを電気的に接続するコネクタである。
【００２７】
本発明の第１実施形態に係るプリント基板用コネクタ１（後述する図９参照）は、図１（ｂ）の接続端子を収容する図１（ａ）の端子側コネクタハウジング１１と、プリント基板４０（後述する図６参照）と電気的に接続される図１（ｂ）の接続端子２１と、端子側コネクタハウジング１１に係合する図１（ｃ）のフロントホルダ３１と、プリント基板４０が装着された図２の基板側コネクタハウジング４１とから略構成されている。
【００２８】
このように構成されたプリント基板用コネクタ１（後述する図９参照）は、端子側コネクタハウジング１１に基板側コネクタハウジング４１を嵌合して接続端子２１とプリント基板４０（後述する図６参照）とを電気的に接続する。
【００２９】
次に、図３から図６を参照して、上記のように構成されたプリント基板用コネクタ１（後述する図９参照）の各構成の詳細について説明する。
【００３０】
図３（ａ）は、本発明の第１実施形態に係るプリント基板用コネクタを構成する端子側コネクタハウジングの平面図、（ｂ）は、（ａ）のＡ−Ａ断面図である。図４は、本発明の第１実施形態に係るプリント基板用コネクタを構成する接続端子の内部を示す斜視図である。
【００３１】
また、図５は、本発明の第１実施形態に係るプリント基板用コネクタを構成するフロントホルダの内部を示す斜視図である。図６は、本発明の第１実施形態に係るプリント基板用コネクタを構成する基板側コネクタハウジングの内部を示す斜視図である。
【００３２】
図３（ａ）又は図３（ｂ）に示すように、端子側コネクタハウジング１１は箱状に形成されている。この端子側コネクタハウジング１１は、接続端子２１（図１（ｂ）、図４参照）を収容する端子収容部１２と、フロントホルダ３１（図１（ｃ）、図５参照）を収容するフロントホルダ収容部１３と、後述する第２嵌合係合部４２（図２参照）と係合する第１嵌合係合部１４とを有している。
【００３３】
端子収容部１２は、端子側コネクタハウジング１１に対して挿入された接続端子２１（図１（ｂ）、図４参照）を収容する。この端子収容部１２は、挿入中の接続端子２１と係合する接続端子係合部１５を有している。
【００３４】
接続端子係合部１５は、端子側コネクタハウジング１１に対する挿入中の接続端子２１と係合して、接続端子２１の挿入方向（図３（ｂ）の矢印Ｘ方向）に直交する方向（図３（ｂ）の矢印Ｙ方向）に撓み変形する。
【００３５】
この接続端子係合部１５は、挿入中の接続端子２１（図１（ｂ）、図４参照）と係合して撓み変形している状態では、端子側コネクタハウジング１１に対するフロントホルダ３１（図１（ｃ）、図５参照）の係合時にフロントホルダ３１の挿入片３２（図８参照）が挿入される経路上に延出する。この状態では、端子側コネクタハウジング１１に対して仮係合状態となる位置（後述する図１１に示す位置）から本係合状態となる位置（後述する図１３に示す位置）へのフロントホルダ３１の移動が、接続端子係合部１５によって阻止される。
【００３６】
また、接続端子２１（図１（ｂ）、図４参照）が端子側コネクタハウジング１１に対して挿入完了となると、接続端子係合部１５が接続端子２１のコネクタハウジング係合部２５（図１（ｂ）、図４参照）と係合することにより、撓み変形した接続端子係合部１５が弾性復元する。
【００３７】
接続端子係合部１５が弾性復元すると、接続端子係合部１５と接続端子２１（図１（ｂ）、図４参照）との係合が解除されて、フロントホルダ３１（図１（ｃ）、図５参照）の挿入片３２（図８参照）が挿入される経路上に延出していた接続端子係合部１５が、経路上から退避する。したがって、挿入片３２をその挿入経路に挿入可能となる。したがって、端子側コネクタハウジング１１に対して仮係合状態となる位置（後述する図１１に示す位置）から本係合状態となる位置（後述する図１３に示す位置）へのフロントホルダ３１の移動が許容される。
【００３８】
フロントホルダ収容部１３は、フロントホルダ３１が端子側コネクタハウジング１１と仮係合状態となる位置（後述する図１１に示す位置）から本係合状態となる位置（後述する図１３に示す位置）へ移動できるように形成されている。
【００３９】
このフロントホルダ収容部１３は、フロントホルダ３１（図１（ｃ）、図５参照）が端子側コネクタハウジング１１に対して仮係合状態となる位置（後述する図１１に示す位置）で、後述するフロントホルダ３１の第２仮係合用係合部３３（後述する図５参照）と係合する第１仮係合用係合部１６を有している。
【００４０】
第１仮係合用係合部１６は、後述するフロントホルダ３１のフロントホルダ側突部３３ａと係合する端子側鉤部１６ａ（後述する図１２参照）と、後述するフロントホルダ３１のフロントホルダ側鉤部３３ｂと係合する端子側突部１６ｂ（後述する図１２参照）とを有している。詳細は後述する。
【００４１】
第１嵌合係合部１４は、端子側コネクタハウジング１１に基板側コネクタハウジング４１（図２、図６参照）が嵌合すると、後述する基板側コネクタハウジング４１の第２嵌合係合部４２（図２参照）と係合する。
【００４２】
図４に示すように、接続端子２１は、端子側コネクタハウジング１１の端子収容部１２（図１（ａ）、図３参照）に収容される接続箱部２２と、電線（図示省略）の導体及び被覆を加締める加締部２３とを有している。
【００４３】
接続箱部２２は、矩形筒状に形成されている。この接続箱部２２は、接続箱部２２の底面２２ａ、側面２２ｂ、２２ｃ、上面２２ｄに囲まれた弾性接触片２４と、端子側コネクタハウジング１１の接続端子係合部１５（図１（ａ）、図３参照）と係合するコネクタハウジング係合部２５とを有している。
【００４４】
弾性接触片２４は、端子側コネクタハウジング１１（図１（ａ）、図３参照）への挿入方向（矢印Ｘ方向）における一方の端部２４ａが底面２２ａ（端子側コネクタハウジング１１への挿入方向に沿って延在する一面）に片持ち支持されている。
【００４５】
この弾性接触片２４は、接続端子２１の端子側コネクタハウジング１１（図１（ａ）、図３参照）への挿入方向（矢印Ｘ方向）における他方の端部２４ｂがプリント基板４０（後述する図６参照）と弾接状態で当接可能な当接部２６と、後述するフロントホルダ３１の押圧部３４（後述する図５参照）が位置するスリット２７とを有している。
【００４６】
当接部２６は、端子側コネクタハウジング１１の第１嵌合係合部１４（図１（ａ）、図３参照）と、後述する第２嵌合係合部４２（図２参照）とが互いに係合した状態で、プリント基板４０（後述する図８参照）に弾接状態で当接する。
【００４７】
スリット２７は、フロントホルダ３１（図１（ｃ）参照）が仮係合状態となる位置（後述する図１１に示す位置）から本係合状態となる位置（後述する図１３に示す位置）へ移動すると、後述するフロントホルダ３１の押圧部３４（後述する図５参照）が位置する。
【００４８】
このスリット２７は、後述するフロントホルダ３１の押圧部３４（後述する図５参照）が位置すると、当接部２６の間隔Ａが接続端子２１の端子側コネクタハウジング１１への挿入方向（矢印Ｘ方向）に直交する幅方向（矢印Ｚ及びＺ´方向）に拡張される。
【００４９】
コネクタハウジング係合部２５は、接続箱部２２の底面２２ａに形成されており、接続端子２１が端子側コネクタハウジング１１（図１（ａ）、図３参照）に対して挿入が完了すると、端子側コネクタハウジング１１の接続端子係合部１５（図１（ａ）、図３参照）と係合する。
【００５０】
加締部２３は、接続箱部２２と一体的に形成されている。この加締部２３に導体及び被覆を加締めされた電線（図示省略）は、端子側コネクタハウジング１１（図１（ａ）、図３参照）に基板側コネクタハウジング４１（図２参照）を嵌合すると、基板側コネクタハウジング４１に装着されたプリント基板４０（後述する図６参照）と電気的に接続される。
【００５１】
図５に示すように、フロントホルダ３１は、端子側コネクタハウジング１１（図１（ａ）、図３参照）に本係合状態となる位置（後述する図１３に示す位置）に係合すると、端子側コネクタハウジング１１の接続端子係合部１５（図１（ａ）、図３参照）の下部（図３（ｂ）の矢印Ｙ方向）に位置する挿入片３２と、端子側コネクタハウジング１１の第１仮係合用係合部１６（図３（ａ）及び図３（ｂ）参照）と係合する第２仮係合用係合部３３とを有している。
【００５２】
また、フロントホルダ３１は、接続端子２１の弾性接触片２４（図１（ｂ）、図４参照）を押圧する押圧部３４と、押圧部３４により押圧された接続端子２１の弾性接触片２４が挿通される接触片挿通部３５とを有している。
【００５３】
挿入片３２は、接続端子２１（図１（ｂ）、図４参照）が端子側コネクタハウジング１１の端子収容部１２（図１（ａ）、図３参照）に対して挿入中である状態では、端子側コネクタハウジング１１の接続端子係合部１５（図１（ａ）、図３参照）と当接する。
【００５４】
このため、フロントホルダ３１は、挿入片３２の接続端子係合部１５（図１（ａ）、図３参照）に対する当接により、端子側コネクタハウジング１１（図１（ａ）、図３参照）に対して本係合状態となる位置（後述する図１３に示す位置）への移動が阻止される。
【００５５】
つまり、上述したように、端子側コネクタハウジング１１の接続端子係合部１５（図１（ａ）、図３参照）は、挿入中の接続端子２１（図１（ｂ）、図４参照）と係合する。そして、端子側コネクタハウジング１１に対する接続端子２１の挿入方向（図３（ｂ）の矢印Ｘ方向）に直交する方向（図３（ｂ）の矢印Ｙ方向）に撓み変形し、挿入片３２の挿入経路上に延出する。
【００５６】
このため、接続端子２１（図１（ｂ）、図４参照）が端子側コネクタハウジング１１の端子収容部１２（図１（ａ）、図３参照）に対して挿入中の場合には、端子側コネクタハウジング１１（図１（ａ）、図３参照）に対してフロントホルダ３１を挿入すると、挿入片３２は、接続端子係合部１５（図１（ａ）、図３参照）と当接する。
【００５７】
また、挿入片３２は、端子側コネクタハウジング１１の端子収容部１２（図１（ａ）、図３参照）に対する接続端子２１（図１（ｂ）、図４参照）の挿入が完了すると、端子側コネクタハウジング１１（図１（ａ）、図３参照）の接続端子係合部１５（図１（ａ）、図３参照）の撓み変形が解消され、挿入片３２の挿入経路上から接続端子係合部１５が退避する。よって、挿入片３２が接続端子係合部１５（図１（ａ）、図３参照）の下部（図３（ｂ）の矢印Ｙ方向）へ挿入することが可能となる。
【００５８】
このため、接続端子２１（図１（ｂ）、図４参照）が端子側コネクタハウジング１１の端子収容部１２（図１（ａ）、図３参照）に対して挿入が完了すると、フロントホルダ３１は、端子側コネクタハウジング１１（図１（ａ）、図３参照）に対して本係合状態となる位置（後述する図１３に示す位置）への移動が許容される。
【００５９】
つまり、上述したように、端子側コネクタハウジング１１の接続端子係合部１５（図１（ａ）、図３参照）は、接続端子２１（図１（ｂ）、図４参照）が端子側コネクタハウジング１１（図１（ａ）、図３参照）に対して挿入完了となると、接続端子２１のコネクタハウジング係合部２５（図１（ｂ）、図４参照）と係合することにより、撓み変形した接続端子係合部１５が弾性復元する。
【００６０】
このため、接続端子２１（図１（ｂ）、図４参照）が端子側コネクタハウジング１１の端子収容部１２（図１（ａ）、図３参照）に対して挿入が完了すると、フロントホルダ３１が端子側コネクタハウジング１１（図１（ａ）、図３参照）に対して本係合状態となる位置（後述する図１３に示す位置）への移動が許容されて、挿入片３２は接続端子係合部１５（図１（ａ）、図３参照）の下部（図３（ｂ）の矢印Ｙ方向）に位置する。
【００６１】
第２仮係合用係合部３３は、フロントホルダ３１が端子側コネクタハウジング１１（図１（ａ）、図３参照）に対して仮係合状態となる位置（後述する図８に示す位置）へ移動すると端子側コネクタハウジング１１の第１仮係合用係合部１６（図３（ａ）及び図３（ｂ）参照）と係合する。
【００６２】
この第２仮係合用係合部３３は、端子側コネクタハウジング１１の端子側鉤部１６ａ（後述する図１２参照）と係合するフロントホルダ側突部３３ａ（後述する図１２参照）と、端子側突部１６ｂ（後述する図１２参照）と係合するフロントホルダ側鉤部３３ｂ（後述する図１２参照）と、端子側突部１６ｂと当接する鉤部当接部３３ｃ（後述する図１２参照）とを有している。詳細は後述する。
【００６３】
押圧部３４は、先端側が接続端子２１のスリット２７（図１（ｂ）よりも細い幅で形成され、基端側がスリット２７よりも太い幅で形成されている。フロントホルダ３１が端子側コネクタハウジング１１（図１（ａ）、図３参照）に対して仮係合状態となる位置（後述する図１１に示す位置）では、スリット２７に押圧部３４の先端側が位置する。フロントホルダ３１が端子側コネクタハウジング１１に対して本係合状態となる位置（後述する図１３に示す位置）に移動すると、押圧部３４の基端側がスリット２７（図１（ｂ）、図４参照）に位置する。
【００６４】
押圧部３４の基端側が接続端子２１のスリット２７（図１（ｂ）、図４参照）に位置すると、押圧部３４の基端側によりスリット２７が拡開されて、スリット２７の両側に位置する各弾性接触片２４（図１（ｂ）、図４参照）を押圧する。
【００６５】
これにより、接続端子２１の当接部２６（図１（ｂ）、図４参照）の間隔Ａ（図４参照）が接続端子２１（図１（ｂ）、図４参照）の端子側コネクタハウジング１１（図１（ａ）、図３参照）への挿入方向（図４の矢印Ｘ方向）に直交する幅方向（図４の矢印Ｚ及びＺ´方向）に拡張され、当接部２６が幅方向（図４の矢印Ｚ及びＺ´方向）へ移動する。この移動によって、プリント基板４０（後述する図６参照）に弾接状態で当接した当接部２６がプリント基板４０に対して摺動する。
【００６６】
接触片挿通部３５は、押圧部３４により押圧されて、接続端子２１の当接部２６の間隔Ａ（図４参照）が拡張された弾性接触片２４の他方の端部２４ｂ（図４参照）が挿通される。
【００６７】
図６に示すように、基板側コネクタハウジング４１は、プリント基板４０を装着し、箱状に形成されている。この基板側コネクタハウジング４１は、端子側コネクタハウジング１１の第１嵌合係合部１４（図１（ａ）、図３参照）と係合する第２嵌合係合部４２と、端子側コネクタハウジング１１（図１（ａ）、図３参照）を内部に収容して嵌合する嵌合部４３と、フロントホルダ３１を移動するフロントホルダ移動部４４を有している。
【００６８】
第２嵌合係合部４２は、端子側コネクタハウジング１１（図１（ａ）、図３参照）に基板側コネクタハウジング４１が嵌合すると、端子側コネクタハウジング１１の第１嵌合係合部１４（図１（ａ）、図３参照）と係合する。
【００６９】
嵌合部４３は、接続端子２１（図１（ｂ）、図４参照）が挿入された端子側コネクタハウジング１１（図１（ａ）、図３参照）と、この端子側コネクタハウジング１１に係合したフロントホルダ３１（図１（ｃ）、図５参照）を内部に収容する。
【００７０】
フロントホルダ移動部４４は、端子側コネクタハウジング１１（図１（ａ）、図３参照）に基板側コネクタハウジング４１が嵌合すると、フロントホルダ３１（図１（ｃ）、図５参照）と当接する。
【００７１】
このフロントホルダ移動部４４は、フロントホルダ３１（図１（ｃ）、図５参照）と当接することにより、フロントホルダ３１を端子側コネクタハウジング１１（図１（ａ）、図３参照）に対して仮係合状態となる位置（後述する図１１に示す位置）から本係合状態となる位置（後述する図１３に示す位置）へ相対的に移動させる。
【００７２】
次に、図７から図１４を参照して、本発明の第１実施形態に係るプリント基板用コネクタを構成する端子側コネクタハウジングと基板側コネクタハウジングとの嵌合作業について説明する。
【００７３】
図７は、本発明の第１実施形態に係るプリント基板用コネクタを構成する端子側コネクタハウジングに接続端子を挿入した状態を示す断面図である。図８は、本発明の第１実施形態に係るプリント基板用コネクタを構成する接続端子の端子側コネクタハウジングの接続端子係合部と接続端子のコネクタハウジング係合部の係合状態を示す断面図である。
【００７４】
また、図９は、本発明の第１実施形態に係るプリント基板用コネクタを構成する端子側コネクタハウジングにフロントホルダを挿入した状態を示す断面図である。図１０は、本発明の第１実施形態に係るプリント基板用コネクタを構成する基板側コネクタハウジングがフロントホルダを押圧する状態を示す断面図である。図１１は、本発明の第１実施形態に係るプリント基板用コネクタを構成する端子側コネクタとフロントホルダの仮係合状態を示す断面図である。
【００７５】
さらに、図１２は、本発明の第１実施形態に係るプリント基板用コネクタを構成する端子側コネクタハウジングの第１仮係合用係合部とフロントホルダの第２仮係合用係合部との係合状態を示す断面図である。図１３は、本発明の第１実施形態に係るプリント基板用コネクタの嵌合状態を示す断面図である。
【００７６】
また、図１４（ａ）は、本発明の第１実施形態に係るプリント基板用コネクタを構成する接続端子のスリットにフロントホルダの押圧部が位置した状態を示す断面図、（ｂ）は、本発明の第１実施形態に係るプリント基板用コネクタを構成する接続端子の当接部がプリント基板と当接した状態を示す断面図、（ｃ）は、本発明の第１実施形態に係るプリント基板用コネクタを構成する接続端子の当接部がプリント基板に対して摺動した状態を示す断面図である。
【００７７】
はじめに、図７に示すように、端子側コネクタハウジング１１の端子収容部１２に矢印Ｘ方向へ接続端子２１を挿入する。
【００７８】
端子側コネクタハウジング１１の端子収容部１２に接続端子２１を挿入すると、図８に示すように、端子側コネクタハウジング１１の接続端子係合部１５と接続端子２１のコネクタハウジング係合部２５が係合する。
【００７９】
次に、図９に示すように、端子側コネクタハウジング１１のフロントホルダ収容部１３（図７参照）にフロントホルダ３１を矢印Ｘ´方向に挿入する。
【００８０】
端子側コネクタハウジング１１のフロントホルダ収容部１３（図７参照）にフロントホルダ３１を挿入すると、図１４（ａ）に示すように、接続端子２１のスリット２７には、フロントホルダ３１の押圧部３４が位置する。
【００８１】
次に、図１０に示すように、端子側コネクタハウジング１１の外周に基板側コネクタハウジング４１を当接して基板側コネクタハウジング４１を矢印Ｘ´方向へ移動させる。これにより、基板側コネクタハウジング４１のフロントホルダ移動部４４がフロントホルダ３１と当接してフロントホルダ３１を矢印Ｘ´方向から押圧する。
【００８２】
そして、基板側コネクタハウジング４１のフロントホルダ移動部４４によりフロントホルダ３１を押圧すると、図１１に示すように、基板側コネクタハウジング４１に押圧されたフロントホルダ３１が端子側コネクタハウジング１１に対して仮嵌合状態となる。
【００８３】
フロントホルダ３１が端子側コネクタハウジング１１に対して仮嵌合状態となると、接続端子２１の当接部２６がプリント基板に接触するように端子側コネクタハウジング１１がプリント基板４０に対して位置決めされる。
【００８４】
そして、端子側コネクタハウジング１１がプリント基板４０に対して位置決めされると、図１４（ｂ）に示すように、フロントホルダ３１の押圧部３４が矢印Ｘ´方向に移動するため、押圧部３４がプリント基板４０に当接する。
【００８５】
このように、フロントホルダ３１は、端子側コネクタハウジング１１を基板側コネクタハウジング４１に嵌合する過程で基板側コネクタハウジング４１から押圧されて、端子側コネクタハウジング１１に対して仮係合状態に位置し、当接部２６がプリント基板４０に対して接触する位置に、接続端子２１がプリント基板４０に対して位置決めされる。
【００８６】
このため、フロントホルダ３１を仮係合状態（図１１に示す位置）に保持して、確実にプリント基板４０に当接部２６を当接させた後に、端子側コネクタハウジング１１を基板側コネクタハウジング４１にさらに嵌合して当接部２６をプリント基板４０に対して弾接状態で当接させることができる。
【００８７】
また、図１２に示すように、フロントホルダ３１が端子側コネクタハウジング１１に対して仮嵌合状態となると、端子側コネクタハウジング１１の第１仮係合用係合部１６とフロントホルダ３１の第２仮係合用係合部３３が係合する。
【００８８】
つまり、第１仮係合用係合部１６の端子側鉤部１６ａと第２仮係合用係合部のフロントホルダ側突部３３ａとが係合する。また、第１仮係合用係合部１６の端子側突部１６ｂと第２仮係合用係合部３３のフロントホルダ側鉤部３３ｂとが係合する。
【００８９】
さらに、第２仮係合用係合部３３の鉤部当接部３３ｃは、端子側突部１６ｂに当接する。これにより、端子側コネクタハウジング１１とフロントホルダ３１とは、両者が仮係合状態となる位置で互いに係合する。すると、フロントホルダ３１の接触片挿通部３５から接続端子２１の当接部２６が挿通されて当接部２６の先端側がフロントホルダ３１の外部に突出する。
【００９０】
そして、フロントホルダ３１が端子側コネクタハウジング１１に対して仮係合状態となる位置（図１１の位置）から本係合状態となる位置（図１３に示す位置）へ移動する際に、鉤部当接部３３ｃが矢印Ｘ´方向に移動することにより端子側突部１６ｂを乗り越えて、フロントホルダ３１は本係合状態となる位置へ移動する。
【００９１】
次に、図１３に示すように、基板側コネクタハウジング４１のフロントホルダ移動部４４がフロントホルダ３１と当接することにより、フロントホルダ３１を端子側コネクタハウジング１１に対して仮係合状態となる位置（図１１に示す位置）から本係合状態となる位置（図１３に示す位置）へ移動し、基板側コネクタハウジング４１が端子側コネクタハウジング１１に嵌合する。
【００９２】
このように、基板側コネクタハウジング４１のフロントホルダ移動部４４が、端子側コネクタハウジング１１を基板側コネクタハウジング４１に嵌合する際に、フロントホルダ３１に当接する。このため、基板側コネクタハウジング４１とフロントホルダ３１との隙間（遊び）をなくすことができ、端子側コネクタハウジング１１の基板側コネクタハウジング４１に対する嵌合に連動して、容易にフロントホルダ３１を本係合状態となる位置（図１３に示す位置）へ移動させることができる。
【００９３】
基板側コネクタハウジング４１が端子側コネクタハウジング１１に嵌合すると、端子側コネクタハウジング１１の第１嵌合係合部１４が基板側コネクタハウジング４１の第２嵌合係合部４２を乗り越えて（図１０及び図１１参照）、第１嵌合係合部１４と第２嵌合係合部４２が係合する。
【００９４】
第１嵌合係合部１４と第２嵌合係合部４２が、端子側コネクタハウジング１１と基板側コネクタハウジング４１とが嵌合した状態で互いに係合すると、当接部２６がプリント基板４０に弾接状態で当接するように接続端子２１をプリント基板４０に対して位置決めされる。
【００９５】
接続端子２１がプリント基板４０に対して位置決めされると、フロントホルダ３１の接触片挿通部３５から接続端子２１の当接部２６が挿通されてプリント基板４０に対して弾接状態で当接する。
【００９６】
このように、端子側コネクタハウジング１１を基板側コネクタハウジング４１に嵌合させると、両者の嵌合係合部（第１嵌合係合部１４、第２嵌合係合部４２）どうしが互いに係合して当接部２６がプリント基板４０に対して弾接状態で当接する。このため、基板側コネクタハウジング４１に端子側コネクタハウジング１１を嵌合させることにより、当接部２６をプリント基板４０に対して所定の接触圧で弾接させることができる。
【００９７】
また、基板側コネクタハウジング４１に端子側コネクタハウジング１１を近づけて嵌合し、両者の嵌合係合部（第１嵌合係合部１４、第２嵌合係合部４２）を互いに係合させれば、当接部２６がプリント基板４０に対して弾接状態で当接するように接続端子２１が端子側コネクタハウジング１１により位置決めされる。このため、端子側コネクタハウジング１１と接続端子２１との挿入方向（矢印Ｘ方向）に直交する面内におけるガタ付きの有無に関わらず、プリント基板４０に対する当接部２６の必要な接圧を確保することができる。
【００９８】
そして、図１４（ｃ）に示すように、フロントホルダ３１が仮係合状態となる位置（図１１に示す位置）から本係合状態となる位置（図１３に示す位置）への移動により、接続端子２１の弾性接触片２４を押圧し、プリント基板４０に弾接状態で当接した接続端子２１の当接部２６をプリント基板４０に対して矢印Ｚ方向及びＺ´方向に摺動させる。
【００９９】
このように、フロントホルダ３１の押圧部３４は、フロントホルダ３１が端子側コネクタハウジング１１に対して仮嵌合状態となる位置（図１１に示す位置）から本嵌合状態となる位置（図１３に示す位置）に移動することで弾性接触片２４を押圧し、プリント基板４０に弾接状態で当接した当接部２６をプリント基板４０に対して摺動させる。
【０１００】
このため、端子側コネクタハウジング１１を基板側コネクタハウジング４１に嵌合することにより、当接部２６を弾接状態のままプリント基板４０に対して摺動させて、当接部２６に付着した酸化皮膜を除去させ、当接部２６の接触抵抗を低下させることができ、プリント基板４０との電気的接触性を向上することができる。
【０１０１】
また、上述したように、接続端子２１が端子側コネクタハウジング１１の端子収容部１２に対して挿入中の場合、接続端子係合部１５が挿入中の接続端子２１と係合する。このため、フロントホルダ３１は、端子側コネクタハウジング１１に対して仮係合状態となる位置（図１１の位置）から本係合状態となる位置（図１３に示す位置）への移動が阻止される。
【０１０２】
つまり、接続端子係合部１５は、端子側コネクタハウジング１１に対する接続端子２１の挿入方向（図７の矢印Ｘ方向）に直交する方向（図７の矢印Ｙ方向）に撓み変形して挿入中の接続端子２１と係合する。このため、撓み変形した接続端子係合部１５とフロントホルダの挿入片３２が当接することによりフロントホルダ３１の移動が阻止される。
【０１０３】
一方、図７から図１１に示すように、接続端子２１が端子側コネクタハウジング１１の端子収容部１２に対して挿入が完了すると、接続端子係合部１５と接続端子２１との係合が解除され、接続端子係合部１５はコネクタハウジング係合部２５と係合する。このため、フロントホルダ３１が端子側コネクタハウジング１１に対して仮係合状態となる位置（図１１の位置）から本係合状態となる位置（図１３に示す位置）への移動が許容される。
【０１０４】
つまり、接続端子係合部１５がコネクタハウジング係合部２５と係合することにより、撓み変形した接続端子係合部１５が弾性復元するため、撓み変形した接続端子係合部１５とフロントホルダの挿入片３２が当接することなく、接続端子係合部１５によりフロントホルダ３１の移動が阻止されずに許容される。
【０１０５】
このように、端子側コネクタハウジング１１の接続端子係合部１５は、内部に接続端子２１が収容されるまでの挿入中には、接続端子２１と係合してフロントホルダ３１の仮係合状態となる位置から本係合状態となる位置への移動を阻止し、内部に接続端子２１が収容されて挿入が完了すると、接続端子２１との係合が解除されてフロントホルダ３１の仮係合状態となる位置（図１１に示す位置）から本係合状態となる位置（図１３に示す位置）への移動を許容する。
【０１０６】
このため、接続端子２１が端子収容部１２に収容されて、端子側コネクタハウジング１１の基板側コネクタハウジング４１に対する嵌合の開始により当接部２６がプリント基板４０に接触する前に、フロントホルダ３１が端子側コネクタハウジング１１に対して仮係合状態となる位置（図１１に示す位置）から本係合状態となる位置（図１３に示す位置）に移動して、フロントホルダ３１の押圧部３４が弾性接触片２４を押圧し、当接部２６がプリント基板４０上で摺動できなくなるのを防止することができる。
【０１０７】
そして、上述したように基板側コネクタハウジング４１が端子側コネクタハウジング１１に嵌合すると、図１３に示すように、基板側コネクタハウジング４１の嵌合部４３には、接続端子２１が挿入された端子側コネクタハウジング１１と、この端子側コネクタハウジング１１に係合したフロントホルダ３１が収容される。
【０１０８】
次に、図１５から図１９を参照して、本発明の第２実施形態に係るプリント基板用コネクタについて詳細に説明する。
【０１０９】
本発明の第２実施形態に係るプリント基板用コネクタは、フロントホルダは、基板側コネクタハウジングが端子側コネクタハウジングに嵌合すると基板側コネクタハウジングに当接して、フロントホルダを端子側コネクタハウジングに対して仮係合状態となる位置から本係合状態となる位置へ相対的に移動させるフロントホルダ移動部を有する。
【０１１０】
なお、第２実施形態に係るプリント基板用コネクタは、本発明の第１実施形態に係るプリント基板用コネクタと略同様の構成等を有するため、同様の構成に関しては、説明を省略するものとする。また、第１実施形態に係るプリント基板用コネクタと同様の構成要素には同一の符号を付して説明する。
【０１１１】
はじめに、図１５（ａ）及び図１５（ｂ）を参照して、本発明の第２実施形態に係るプリント基板用コネクタを構成するフロントホルダと基板側コネクタハウジングの構成について説明する。
【０１１２】
図１５（ａ）は、本発明の第２実施形態に係るプリント基板用コネクタを構成するフロントホルダを示す斜視図、（ｂ）は、本発明の第２実施形態に係るプリント基板用コネクタを構成する基板側コネクタハウジングを示す斜視図である。
【０１１３】
図１５（ａ）に示すように、本発明の第２実施形態に係るプリント基板用コネクタ１００（図１６から図１９参照）を構成するフロントホルダ３１は、フロントホルダ３１を移動するフロントホルダ移動部１４４を有している。
【０１１４】
このフロントホルダ移動部１４４は、基板側コネクタハウジング４１（図１５（ｂ）参照）と当接することにより、フロントホルダ３１を端子側コネクタハウジング１１（図１（ａ）、図３参照）に対して仮係合状態となる位置（後述する図１４に示す位置）から本係合状態となる位置（後述する図１５に示す位置）へ相対的に移動させる。
【０１１５】
基板側コネクタハウジング４１は、プリント基板４０を装着し、箱状に形成されている。この基板側コネクタハウジング４１は、端子側コネクタハウジング１１（図１（ａ）、図３参照）を内部に収容して嵌合する嵌合部４３を有している。
【０１１６】
この嵌合部４３は、接続端子２１（図１（ｂ）、図４参照）が挿入された端子側コネクタハウジング１１（図１（ａ）、図３参照）と、この端子側コネクタハウジング１１に係合したフロントホルダ３１（図１５（ａ）参照）を内部に収容する。
【０１１７】
次に、図１６から図１９を参照して、本発明の第２実施形態に係るプリント基板用コネクタを構成する端子側コネクタハウジングと基板側コネクタハウジングとの嵌合作業について説明する。
【０１１８】
図１６は、本発明の第２実施形態に係るプリント基板用コネクタを構成する端子側コネクタハウジングにフロントホルダを挿入した状態を示す断面図である。図１７は、本発明の第２実施形態に係るプリント基板用コネクタを構成する基板側コネクタハウジングがフロントホルダを押圧する状態を示す断面図である。
【０１１９】
また、図１８は、本発明の第２実施形態に係るプリント基板用コネクタを構成する端子側コネクタとフロントホルダの仮係合状態を示す断面図である。図１９は、本発明の第２実施形態に係るプリント基板用コネクタの嵌合状態を示す断面図である。
【０１２０】
図１６に示すように、端子側コネクタハウジング１１の端子収容部１２に矢印Ｘ方向へ接続端子２１を挿入する。端子側コネクタハウジング１１の端子収容部１２に接続端子２１を挿入すると、端子側コネクタハウジング１１の接続端子係合部１５と接続端子２１のコネクタハウジング係合部２５が係合する。
【０１２１】
次に、端子側コネクタハウジング１１のフロントホルダ収容部１３（図７参照）にフロントホルダ３１を矢印Ｘ´方向に挿入する。そして、端子側コネクタハウジング１１の外周に基板側コネクタハウジング４１を当接して基板側コネクタハウジング４１を矢印Ｘ´方向へ移動させる。
【０１２２】
基板側コネクタハウジング４１を矢印Ｘ´方向へ移動させると、図１７に示すように、フロントホルダ３１のフロントホルダ移動部１４４が基板側コネクタハウジング４１と当接して、基板側コネクタハウジング４１の移動によってフロントホルダ３１が矢印Ｘ´方向から押圧される。
【０１２３】
そして、フロントホルダ３１のフロントホルダ移動部１４４が基板側コネクタハウジング４１により押圧されると、図１８に示すように、押圧されたフロントホルダ３１が端子側コネクタハウジング１１に対して仮嵌合状態となる。
【０１２４】
フロントホルダ３１が端子側コネクタハウジング１１に対して仮嵌合状態となると、フロントホルダ３１の接触片挿通部３５から接続端子２１の当接部２６が挿通されて当接部２６の先端側がフロントホルダ３１の外部に突出する。フロントホルダ３１から突出した当接部２６はプリント基板４０に接触する。このように、フロントホルダ３１が端子側コネクタハウジング１１に対して仮嵌合状態となると、プリント基板４０に当接部２６が当接する位置に、接続端子２１がプリント基板４０に対して位置決めされる。
【０１２５】
そして、接続端子２１がプリント基板４０に対して位置決めされると、フロントホルダ３１の押圧部３４が矢印Ｘ´方向に移動し、押圧部３４の先端部が接続端子２１のスリット２７に位置する（図１４（ｂ）参照）。
【０１２６】
このように、端子側コネクタハウジング１１を基板側コネクタハウジング４１に嵌合する際に、基板側コネクタハウジング４１のフロントホルダ移動部１４４がフロントホルダ３１に当接する。このため、基板側コネクタハウジング４１とフロントホルダ３１との隙間（遊び）をなくすことができ、端子側コネクタハウジング１１の基板側コネクタハウジング４１に対する嵌合に連動して、容易にフロントホルダ３１を本係合状態となる位置（図１９に示す位置）へ移動させることができる。
【０１２７】
次に、図１９に示すように、フロントホルダ３１のフロントホルダ移動部１４４が基板側コネクタハウジング４１と当接することにより、フロントホルダ３１が端子側コネクタハウジング１１に対して仮係合状態となる位置（図１８に示す位置）から本係合状態となる位置（図１９に示す位置）へ移動し、基板側コネクタハウジング４１が端子側コネクタハウジング１１に嵌合する。
【０１２８】
基板側コネクタハウジング４１が端子側コネクタハウジング１１に嵌合すると、端子側コネクタハウジング１１の第１嵌合係合部１４が基板側コネクタハウジング４１の第２嵌合係合部４２を乗り越えて（図１７及び図１８参照）、第１嵌合係合部１４と第２嵌合係合部４２が係合する。
【０１２９】
第１嵌合係合部１４と第２嵌合係合部４２が、端子側コネクタハウジング１１と基板側コネクタハウジング４１とが嵌合した状態で互いに係合すると、当接部２６がプリント基板４０に弾接状態で当接するように接続端子２１がプリント基板４０に対して位置決めされる。
【０１３０】
接続端子２１がプリント基板４０に対して位置決めされると、フロントホルダ３１の接触片挿通部３５から接続端子２１の当接部２６が挿通されてプリント基板４０に対して弾接状態で当接する。
【０１３１】
また、端子側コネクタハウジング１１に対して仮係合状態となる位置（図１８に示す位置）から本係合状態となる位置（図１９に示す位置）にフロントホルダ３１が移動することにより、フロントホルダ３１の押圧部３４の基端側が接続端子２１のスリット２１に位置して両側の各弾性接触片２４を押圧する。これにより、プリント基板４０に弾接状態で当接した接続端子２１の当接部２６をプリント基板４０に対して矢印Ｚ方向及びＺ´方向に摺動させる（図１４（ｃ）参照）。
【０１３２】
そして、上述したように基板側コネクタハウジング４１が端子側コネクタハウジング１１に嵌合すると、基板側コネクタハウジング４１の嵌合部４３には、接続端子２１が挿入された端子側コネクタハウジング１１と、この端子側コネクタハウジング１１に係合したフロントホルダ３１が収容される。
【０１３３】
このようにして、本発明の実施形態に係るプリント基板用コネクタ１、１００は、プリント基板４０と電気的に接続される接続端子２１と、この接続端子２１を収容する端子側コネクタハウジング１１と、プリント基板４０が装着された基板側コネクタハウジング４１とを備え、端子側コネクタハウジング１１に基板側コネクタハウジング４１を嵌合して接続端子２１とプリント基板４０とを電気的に接続するプリント基板用コネクタ１、１００であって、接続端子２１は、端子側コネクタハウジング１１への挿入方向に沿って延在する一面の挿入方向における一方の端部２４ａが片持ち支持された弾性接触片２４と、弾性接触片２４の挿入方向における他方の端部２４ｂに設けられプリント基板４０に対して弾接状態で当接可能な当接部２６とを有し、端子側コネクタハウジング１１と基板側コネクタハウジング４１とは、両者が嵌合した状態で互いに係合して当接部２６がプリント基板４０に弾接状態で当接するように接続端子２１をプリント基板４０に対して位置決めする第１及び第２嵌合係合部１４、４２をそれぞれ有する。
【０１３４】
また、本発明の実施形態に係るプリント基板用コネクタ１、１００は、基板側コネクタハウジング４１が端子側コネクタハウジング１１に嵌合することにより、基板側コネクタハウジング４１から押圧されて、端子側コネクタハウジング１１と仮係合状態となる位置から本係合状態となる位置へ移動するフロントホルダ３１を更に有し、端子側コネクタハウジング１１とフロントホルダ３１とは、両者が仮係合状態となる位置で互いに係合する第１及び第２仮係合用係合部１６、３３をそれぞれ有し、基板側コネクタハウジング４１から押圧されたフロントホルダ３１が端子側コネクタハウジング１１に対して仮係合状態に位置することで、当接部２６がプリント基板４０に接触するように基板側コネクタハウジング４１がプリント基板４０に対して位置決めされる。
【０１３５】
さらに、本発明の実施形態に係るプリント基板用コネクタ１、１００は、基板側コネクタハウジング４１とフロントホルダ３１とのうちいずれか一方は、基板側コネクタハウジング４１が端子側コネクタハウジング１１に嵌合すると基板側コネクタハウジング４１とフロントホルダ３１とのうちいずれか他方に当接して、フロントホルダ３１を端子側コネクタハウジング１１に対して仮係合状態となる位置から本係合状態となる位置へ相対的に移動させるフロントホルダ移動部４４、１４４を更に有する。
【０１３６】
また、本発明の実施形態に係るプリント基板用コネクタ１、１００は、フロントホルダ３１は、仮係合状態となる位置から本係合状態となる位置への移動により弾性接触片２４を押圧し、プリント基板４０に弾接状態で当接した当接部２６をプリント基板４０に対して摺動させる押圧部３４を有している。
【０１３７】
さらに、本発明の実施形態に係るプリント基板用コネクタ１は、端子側コネクタハウジング１１は、端子側コネクタハウジング１１に対する挿入中の接続端子２１と係合して、端子側コネクタハウジング１１に対するフロントホルダ３１の仮係合状態となる位置から本係合状態となる位置への移動を阻止すると共に、端子側コネクタハウジング１１に対する挿入完了により接続端子２１との係合が解除されて、端子側コネクタハウジング１１に対するフロントホルダ３１の仮係合状態となる位置から本係合状態となる位置への移動を許容する接続端子係合部１５を更に有する。
【０１３８】
そして、本発明の実施形態に係るプリント基板用コネクタ１、１００によれば、端子側コネクタハウジング１１を基板側コネクタハウジング４１に嵌合させると、両者の嵌合係合部（第１嵌合係合部１４、第２嵌合係合部４２）どうしが互いに係合して当接部２６がプリント基板４０に対して弾接状態で当接する。このため、基板側コネクタハウジング４１に端子側コネクタハウジング１１を嵌合させることにより、当接部２６をプリント基板４０に対して所定の接触圧で弾接させることができる。
【０１３９】
また、基板側コネクタハウジング４１に端子側コネクタハウジング１１を近づけて嵌合し、両者の嵌合係合部（第１嵌合係合部１４、第２嵌合係合部４２）を互いに係合させれば、当接部２６がプリント基板４０に対して弾接状態で当接するように接続端子２１が端子側コネクタハウジング１１により位置決めされる。このため、端子側コネクタハウジング１１と接続端子２１との挿入方向（矢印Ｘ方向）に直交する面内におけるガタ付きの有無に関わらず、プリント基板４０に対する当接部２６の必要な接圧を確保することができる。
【０１４０】
また、本発明の実施形態に係るプリント基板用コネクタ１、１００によれば、フロントホルダ３１は、端子側コネクタハウジング１１を基板側コネクタハウジング４１に嵌合する過程で基板側コネクタハウジング４１から押圧されて、端子側コネクタハウジング１１に対して仮係合状態に位置し、当接部２６がプリント基板４０に対して当接可能に基板側コネクタハウジング４１に対して位置決めされる。
【０１４１】
このため、フロントホルダ３１を仮係合状態（図１１、図１８に示す位置）に保持して、確実にプリント基板４０に当接部２６を当接させた後に、端子側コネクタハウジング１１を基板側コネクタハウジング４１にさらに嵌合して当接部２６をプリント基板４０に対して弾接状態で当接させることができる。
【０１４２】
さらに、本発明の実施形態に係るプリント基板用コネクタ１、１００によれば、基板側コネクタハウジング４１とフロントホルダ３１とのうちいずれか一方のフロントホルダ移動部４４、１４４が、端子側コネクタハウジング１１を基板側コネクタハウジング４１に嵌合する際に、基板側コネクタハウジング４１とフロントホルダ３１とのうちいずれか他方に当接する。
【０１４３】
このため、基板側コネクタハウジング４１とフロントホルダ３１との隙間（遊び）をなくすことができ、端子側コネクタハウジング１１の基板側コネクタハウジング４１に対する嵌合に連動して、容易にフロントホルダ３１を本係合状態となる位置（図１３、図１９に示す位置）へ移動させることができる。
【０１４４】
また、本発明の実施形態に係るプリント基板用コネクタ１、１００によれば、フロントホルダ３１の押圧部３４は、フロントホルダ３１が端子側コネクタハウジング１１に対して仮嵌合状態となる位置（図１１、図１８に示す位置）から本嵌合状態となる位置（図１３、図１９に示す位置）に移動することで弾性接触片２４を押圧し、プリント基板４０に弾接状態で当接した当接部２６をプリント基板４０に対して摺動させる。
【０１４５】
このため、端子側コネクタハウジング１１を基板側コネクタハウジング４１に嵌合することにより、当接部２６を弾接状態のままプリント基板４０に対して摺動させて、当接部２６に付着した酸化皮膜を除去させ、当接部２６の接触抵抗を低下させることができ、プリント基板４０との電気的接触性を向上することができる。
【０１４６】
さらに、本発明の実施形態に係るプリント基板用コネクタ１、１００によれば、端子側コネクタハウジング１１の接続端子係合部１５は、内部に接続端子２１が収容されるまでの挿入中には、接続端子２１と係合してフロントホルダ３１の仮係合状態となる位置（図１１、図１８に示す位置）から本係合状態となる位置（図１３、図１９に示す位置）への移動を阻止し、内部に接続端子２１が収容されて挿入が完了すると、接続端子２１との係合が解除されてフロントホルダ３１の仮係合状態となる位置（図１１、図１８に示す位置）から本係合状態となる位置（図１３、図１９に示す位置）への移動を許容する。
【０１４７】
このため、接続端子２１が端子収容部１２に収容されて、端子側コネクタハウジング１１の基板側コネクタハウジング４１に対する嵌合の開始により当接部２６がプリント基板４０に接触する前に、フロントホルダ３１が端子側コネクタハウジング１１に対して仮係合状態となる位置（図１１、図１８に示す位置）から本係合状態となる位置（図１３、図１９に示す位置）に移動して、フロントホルダ３１の押圧部３４が弾性接触片２４を押圧し、当接部２６がプリント基板４０上で摺動できなくなるのを防止することができる。
【０１４８】
本発明によれば、端子側コネクタハウジング１１とこれに挿入する接続端子２１との挿入方向に直交する面内におけるガタ付きの有無に関わらず、接続端子２１の当接部２６のプリント基板４０に対する必要な接圧を確保することができるプリント基板用コネクタ１、１００を提供することができる。
【０１４９】
以上、本発明のプリント基板用コネクタを図示の実施形態に基づいて説明したが、本発明はこれに限定されるものではなく、各部の構成は、同様の機能を有する任意の構成のものに置き換えることができる。
【０１５０】
例えば、本発明の実施形態では、プリント基板用コネクタ１、１００を構成する接続端子２１が１つのスリット２７を有している場合について説明したが、ス接続端子２１に形成するスリット２７の数は複数であってもよい。
【０１５１】
この場合、スリット２７の数に対応する数の押圧部３４をフロントホルダ３１に設けることになる。より、上述した本発明の実施形態に係るプリント基板用コネクタ１、１００と同様の作用効果を得ることができる。
【産業上の利用可能性】
【０１５２】
本発明は、コネクタハウジングに収容した接続端子とプリント基板とを電気的に接続する際に極めて有用である。
【符号の説明】
【０１５３】
１      プリント基板用コネクタ
１１    端子側コネクタハウジング
１２    端子収容部
１３    フロントホルダ収容部
１４    第１嵌合係合部
１５    接続端子係合部
１６    第１仮係合用係合部
１６ａ  端子側鉤部
１６ｂ  端子側突部
２１    接続端子
２２    接続箱部
２２ａ  底面
２２ｂ  側面
２２ｃ  側面
２２ｄ  上面
２３    加締部
２４    弾性接触片
２４ａ  一方の端部
２４ｂ  他方の端部
２５    コネクタハウジング係合部
２６    当接部
２７    スリット
３１    フロントホルダ
３２    挿入片
３３    第２仮係合用係合部
３３ａ  フロントホルダ側突部
３３ｂ  フロントホルダ側鉤部
３３ｃ  鉤部当接部
３４    押圧部
３５    接触片挿通部
４０    プリント基板
４１    基板側コネクタハウジング
４２    第２嵌合係合部
４３    嵌合部
４４    フロントホルダ移動部
１００  プリント基板用コネクタ
１４４  フロントホルダ移動部）
【図１】
2013026147.tif 000003
【図２】
2013026147.tif 000004
【図３】
2013026147.tif 000005
【図４】
2013026147.tif 000006
【図５】
2013026147.tif 000007
【図６】
2013026147.tif 000008
【図７】
2013026147.tif 000009
【図８】
2013026147.tif 000010
【図９】
2013026147.tif 000011
【図１０】
2013026147.tif 000012
【図１１】
2013026147.tif 000013
【図１２】
2013026147.tif 000014
【図１３】
2013026147.tif 000015
【図１４】
2013026147.tif 000016
【図１５】
2013026147.tif 000017
【図１６】
2013026147.tif 000018
【図１７】
2013026147.tif 000019
【図１８】
2013026147.tif 000020
【図１９】
2013026147.tif 000021